(57)【要約】【課題】携帯機器等に使用される面実装用コイン形蓄電セルに関し、実装面積ロスが大きく小型大容量化が困難という課題を解決し、実装面積効率が高く小型大容量化が可能な面実装用方形蓄電セルを提供することを目的とする。【解決手段】方形の素子と、この素子を電解液と共に収容した方形の上／下金属ケース４、５と、上記上金属ケース４の開口端に配設され、下金属ケース５の開口端をカシメ加工することにより封止を行う方形の封口部材６と、上記上／下金属ケース４、５に夫々接合された正負一対の端子板７、８からなり、この端子板７、８に設けた段差部７ａ、８ａが外表面に露呈する状態で蓄電セル１を外装樹脂９で方形に被覆し、段差部７ａ、８ａを折り曲げることにより、実装面に正負一対の端子を配設した構成により、実装面積のロスを低減し、小型大容量化を実現することができる。【選択図】図１
2008153267.tif 000002
【特許請求の範囲】
【請求項１】
方形に形成された正負一対の電極が同じく方形に形成された絶縁性のセパレータを介して対面するように配置された方形の素子と、この素子を駆動用電解液と共に収容した方形の上／下金属ケースと、上記上金属ケースの開口端近傍を被覆するように配設され、下金属ケースの開口端をカシメ加工することにより圧縮されて封止を行う方形の絶縁性の封口部材と、上記上／下金属ケースに夫々接合された正負一対の端子板からなる蓄電セルにおいて、上記正負一対の端子板の金属ケースとの接合部以外を金属ケースから離れる方向に階段状に折り曲げて段差部を設けると共に、この段差部が外表面に露呈する状態で上記蓄電セルを絶縁性の外装樹脂で方形に被覆し、かつ、この外装樹脂から表出した段差部を外装樹脂の周面に沿って折り曲げることにより、実装面となる底面部に正負一対の端子が夫々配設されるようにした面実装用方形蓄電セル。
【請求項２】
外装樹脂に上／下金属ケースならびに正負一対の端子板の一部が夫々露呈する複数の穴を設けた請求項１に記載の面実装用方形蓄電セル。
【発明の詳細な説明】
【技術分野】
【０００１】
本発明は各種電子機器に使用される面実装用コイン形蓄電セルの中で、特に実装面積効率を追求して外観形状を方形にした面実装用方形蓄電セルに関するものである。
【背景技術】
【０００２】
図３（ａ）、（ｂ）はこの種の従来の面実装用コイン形蓄電セルの構成を示した平面図と正面図であり、図３において、１０は二次電池またはキャパシタ等の蓄電セル、１１はこの蓄電セル１０の負極に接続された負極端子、１２は同じく正極に接続された正極端子である。１３は半田メッキ、１４は半田付け性向上のために施した端子潰し部である。
【０００３】
このように構成された従来の面実装用コイン形蓄電セルは、リフロー処理可能な電池またはキャパシタにおいて、正負極端子の側面半田メッキを無くしても、これと同じような基板への取り付け強度を維持させることが可能になるというものであった。
【０００４】
なお、この出願の発明に関連する先行技術文献情報としては、例えば、特許文献１が知られている。
【特許文献１】特開２００２−１７０５５１号公報
【発明の開示】
【発明が解決しようとする課題】
【０００５】
しかしながら上記従来の面実装用コイン形蓄電セルでは、二次電池またはキャパシタ等の蓄電セル１０が円形であることに加え、この蓄電セル１０に接続された負極端子１１と正極端子１２が蓄電セル１０の外周方向に突出するような構成であるため、蓄電セル１０内に収容された図示しない素子の大きさの割には大きな実装面積を必要とすることから、携帯機器等の小型機器に使用される場合には、要求される小型大容量化の要望に対応することが困難であるという課題があった。
【０００６】
また、このような課題を解決するために、蓄電セル１０を方形にすることも考えられるが、方形にした場合には蓄電セル１０を構成するケースと上蓋をカシメ結合する作業が難しくなり、特にコーナ部でのカシメ結合が均一にできないために封止性能にバラツキが発生するという問題もあった。
【０００７】
本発明はこのような従来の課題を解決し、実装面積のロスを無くして小型大容量化を図り、かつ、優れた信頼性を発揮することが可能な面実装用方形蓄電セルを提供することを目的とするものである。
【課題を解決するための手段】
【０００８】
上記課題を解決するために本発明は、方形の素子と、この素子を駆動用電解液と共に収容した方形の上／下金属ケースと、上記上金属ケースの開口端に配設され、下金属ケースの開口端をカシメ加工することにより封止を行う方形の封口部材と、上記上／下金属ケースに夫々接合された正負一対の端子板からなる蓄電セルにおいて、上記正負一対の端子板の金属ケースとの接合部以外を金属ケースから離れる方向に階段状に折り曲げて段差部を設けると共に、この段差部が外表面に露呈する状態で上記蓄電セルを外装樹脂で方形に被覆し、かつ、この外装樹脂から表出した段差部を折り曲げることにより、実装面となる底面部に正負一対の端子が夫々配設されるようにした構成のものである。
【発明の効果】
【０００９】
以上のように本発明による面実装用方形蓄電セルは、素子を含めた蓄電セルを方形にすることによって実装面積のロスを低減すると共に、この蓄電セルを外装樹脂で被覆し、かつ、この外装樹脂に沿って正負一対の端子板を折り曲げた構成により、極めて小さな実装面積の中に大きな面積の素子を配設することが可能になるため、小型大容量化を実現することができるようになるという効果が得られるものである。また、蓄電セルの封止性能に加え、外装樹脂による封止も行っているために、極めて高い封止性能が得られるという効果も併せて得られるものである。
【発明を実施するための最良の形態】
【００１０】
（実施の形態）
以下、実施の形態を用いて、本発明の特に全請求項に記載の発明について説明する。
【００１１】
図１（ａ）〜（ｃ）は本発明の一実施の形態による面実装用方形蓄電セルの構成を示した平面概念図、同正面断面図、同底面概念図、図２は同面実装用方形蓄電セルに使用される蓄電セルを示した断面図である。
【００１２】
図１、図２において、１は蓄電セルを示し、この蓄電セル１は方形に形成された正負一対の分極性電極２ａ、２ｂが同じく方形に形成された絶縁性のセパレータ３を介して対面するように配置されることにより方形の素子を構成し、この素子に図示しない駆動用電解液を含浸させた状態で方形に形成された上金属ケース４と下金属ケース５を対向させて挟み込むように収容すると共に、方形の絶縁性の封口部材６を上金属ケース４の開口端近傍を被覆するように配設し、下金属ケース５の開口端をカシメ加工することにより上記封口部材６を圧縮して封止するように構成されているものである。
【００１３】
７と８は上記上金属ケース４と下金属ケース５に夫々接合された正極端子板と負極端子板、７ａと８ａはこの正負一対の端子板７、８の上／下金属ケース４、５との接合部以外を上／下金属ケース４、５から離れる方向に階段状に折り曲げて設けた段差部、９はこの段差部７ａ、８ａが外表面に露呈する状態で上記蓄電セル１を被覆した絶縁性の外装樹脂であり、この外装樹脂９の周面に沿って上記正負一対の端子板７、８の段差部７ａ、８ａを折り曲げることにより、実装面となる底面部に正負一対の端子が配設されるように構成したものであり、これにより面実装対応の方形蓄電セルが構成されるものである。
【００１４】
また、上記分極性電極２ａ、２ｂは、活性炭粉末と導電性付与剤であるカーボンブラック、バインダとしてポリテトラフルオロエチレンを混合して混練機で十分に混練してペーストを作製し、このペーストを所望の大きさの方形に成型し、これを乾燥することにより形成したものである。
【００１５】
また、上記上／下金属ケース４、５はアルミニウム材またはステンレス材を用いて形成されており、上金属ケース４の開口端は折り曲げ加工によって二重構造に形成され、この二重構造になった部分を被覆するように方形の絶縁性の封口部材６が嵌め込まれ、下金属ケース５の開口端をカシメ加工することにより上記封口部材６を圧縮して封止するようにしているものである。
【００１６】
また、上記絶縁性の封口部材６としては、熱可塑性樹脂の中で、ガラスファイバー入りＰＰＳ、液晶ポリマー、ＰＥＥＫ材（ポリエーテルエーテルケトン）等、またはブチルゴムが適しており、弾性を求めるのであればブチルゴムを、成形性を求めるのであればガラスファイバー入りＰＰＳ、液晶ポリマー、ＰＥＥＫ材を、より高い耐熱性を求めるのであればＰＥＥＫ材をというように、目的に応じて夫々使い分けることが望ましいものであり、上記ブチルゴムとして更に好ましくは、ノンハロゲン系ブチルゴムにアルキルフェノール樹脂を用いた樹脂加硫を行い、補強剤としてカーボンブラックとシリカを添加したものが良い。
【００１７】
また、上記絶縁性の外装樹脂９としては熱硬化性樹脂が適しており、本実施の形態においてはエポキシ樹脂を用いたものであり、この外装樹脂９で上記蓄電セル１を被覆する際に、図示しない射出成型金型内に配置した蓄電セル１の上／下金属ケース４、５ならびに正負一対の端子板７、８の一部を夫々図示しないスライドピンにより圧接保持するようにしているため、モールド成型を終えた外装樹脂９には上記スライドピンを抜き取った跡に上／下金属ケース４、５ならびに正負一対の端子板７、８の一部が露呈する穴９ａが複数個形成されるようになるものである。
【００１８】
また、上記正負一対の端子板７、８はアルミニウム材またはステンレス材を用いて構成されているものであり、外装樹脂９との密着性を向上させる目的で、表面粗さ（Ｒａ）が０．０５μｍ以上の粗面化処理加工が施されると共に、図示しない基板に実装されて半田付けされる部分には錫メッキ処理７ｂ、８ｂが施されているものである。
【００１９】
以上のように本実施の形態による面実装用方形蓄電セルは、素子を含めた蓄電セル１を方形にすることによって実装面積のロスを低減すると共に、この蓄電セル１を外装樹脂９で被覆し、かつ、この外装樹脂９に沿って正負一対の端子板７、８を折り曲げた構成により、極めて小さな実装面積の中に大きな面積の素子を配設することが可能になるため、従来品と同容量を発揮する素子を用いても実装面積は概ね５０％弱で済み、小型大容量化を実現することができるようになるという格別の効果を奏するものである。
【００２０】
また、下金属ケース５の開口端をカシメ加工することによって封口部材６を圧縮し、これにより蓄電セル１を封止した構成に加え、更に外装樹脂９による封止も行っているため、極めて高い封止性能が得られるという格別の効果も奏するものである。
【００２１】
また、正負一対の端子板７、８に段差部７ａ、８ａを設け、この段差部７ａ、８ａが外装樹脂９から表出するようにした構成により、端子板７、８の上／下金属ケース４、５との接合部分において溶接痕が浮き気味になった場合でも、この溶接痕は外装樹脂９に被覆されてしまうために外装樹脂９から突出することがなくなり、基板実装時の短絡の恐れを皆無にすることができるという格別の効果も奏するものである。
【００２２】
なお、本実施の形態においては、蓄電セルとして電気二重層キャパシタを例にして説明したが、本発明はこれに限定されるものではなく、二次電池や電気化学キャパシタ等を用いた蓄電セルであっても良いものであり、同様の効果が得られるものである。
【産業上の利用可能性】
【００２３】
本発明による面実装用方形蓄電セルは、実装面積のロスを無くして小型大容量化を図ると共に、高信頼性を実現することができるという効果を有し、特に小型化、高密度実装が要求される携帯機器用分野等として有用である。
【図面の簡単な説明】
【００２４】
【図１】（ａ）本発明の一実施の形態による面実装用方形蓄電セルの構成を示した平面概念図、（ｂ）同正面断面図、（ｃ）同底面概念図
【図２】同面実装用方形蓄電セルに使用される蓄電セルを示した断面図
【図３】（ａ）従来の面実装用コイン形蓄電セルの構成を示した平面図、（ｂ）同正面図
【符号の説明】
【００２５】
１  蓄電セル
２ａ、２ｂ  分極性電極
３  セパレータ
４  上金属ケース
５  下金属ケース
６  封口部材
７  正極端子板
７ａ、８ａ  段差部
７ｂ、８ｂ  錫メッキ処理
８  負極端子板
９  外装樹脂
９ａ  穴
【図１】
2008153267.tif 000003
【図２】
2008153267.tif 000004
【図３】
2008153267.tif 000005